(57)【特許請求の範囲】
【請求項１】
画素毎に入力される多値レベルのカラー信号を２値化するステップと、２値化されたカラー信号を構成する各要素信号から当該画素が黒画素か否かを判断するステップと、黒画素と判定された画素について２値化前の各要素信号の中から多値レベルが最大の要素信号を補正色信号に決定するステップと、記録対象の画素が黒画素の場合は黒色のインクと共に、前記補正色信号に対応したインクを記録するステップと、を具備する記録位置ずれ処理方法。
【請求項２】
カラー信号を２値化する際に生じる誤差を周辺画素へ分配するステップを具備し、補正色信号を検出する場合は誤差分が加算された後の多値レベルを用いることを特徴とする請求項１記載の記録位置ずれ処理方法。
【請求項３】
画素毎に入力される多値レベルのカラー信号を２値化する２値化手段と、２値化されたカラー信号を構成する各要素信号から当該画素が黒画素か否かを判断する黒画素判定手段と、黒画素と判定された画素又はその周辺画素の２値化前の各要素信号を用いて補正色信号を決定する補正色決定手段と、記録対象の画素が黒画素の場合は黒色のインクと共に、前記補正色信号に対応したインクを記録する記録手段と、を具備するカラー記録装置。
【発明の詳細な説明】
【０００１】
【発明の属する技術分野】
本発明は、プリンタ等に好適な記録位置ずれ処理方法及びカラー記録装置に関する。
【０００２】
【従来の技術】
従来、インクジェット記録方式等を採用するカラー記録装置では、擬似中間調表現を行うため、シアン、マゼンタ、イエロー、又は赤、緑、青、のいわゆる３原色の多値レベルの画信号を入力し、これを誤差拡散法等で２値化、又はそれ以上の信号に多値化し、シアン、マゼンタ、イエローの３色のインク（カラーインク）のみで記録が行われていた。
【０００３】
しかし、シアン、マゼンタ、イエローの３色のみで黒画素を表現するためにはこれらを重ねて記録する必要があるが、各色のインクが記録紙へ付着する状態等によって、黒が無彩色にならず、若干の色味を帯びるという問題点がある。また、黒画素が多い場合には、１画素当たり３色分のインクを使用するため、インクの消費が多く不経済であり、また、インク量が多くなることによって記録紙にシワが発生するという問題点がある。さらに、文字・線等を３色で記録すると、滲んで文字・線が太くなるという問題点もある。
【０００４】
そこで、従来から、上記３色のカラーインクの他に黒インクを備え、黒画素を記録する場合は、黒インクのみを用いることによって、上記の各問題点の解決を図らんとしたカラー記録装置が提案されている。
【０００５】
黒インクを使用する場合には、入力信号における３原色（シアン、マゼンタ、イエロー、又は赤、緑、青）から黒成分を抽出する必要があるが、従来のカラー記録装置は、シアン、マゼンタ、イエローの３色全てが重なる画素を検出し、これを黒画素とみなす手段を採った。シアン、マゼンタ、イエローの３色が重なる部分を黒画素とみなし、黒インクで置き換えて記録することによって、上記の各問題点を解消したのである。
【０００６】
【発明が解決しようとする課題】
しかしながら、インクジェット記録方式を採用するカラー記録装置では、通常、シアン、マゼンタ、イエローの３色を記録する記録ヘッドと、黒インクを記録する記録ヘッドとを別構成にしているため、これら２つの記録ヘッドの組み立て誤差等により、３色のカラーインクの記録位置と、黒インクの記録位置とが一致せず、両者がずれる場合がある。
【０００７】
このように記録位置のずれが起きる場合、シアン、マゼンタ、イエローの３色全てが重なる画素を、黒インクに置き換えると、画質が劣化するという問題点がある。すなわち、カラーインクと黒インクとの記録位置にずれが生じると、シアン、マゼンタ、イエローの３色全てが重なる画素を黒インクに置き換えた際、本来黒インクで覆われるはずであった部分の記録紙の地色が露出する。記録紙の地色は、通常白色であるため、黒画素とカラー画素が混在した画像に白色が入り込んで記録濃度が低下する。また、ザラツキ感が生じて、記録画像の品質を低下させてしまうという問題点がある。
【０００８】
本発明は、上記の問題点に鑑みてなされたものであり、黒画素を記録する際に、黒インクと共に黒インク以外のインクを補正色として記録することにより、記録画像の品質劣化を防止することができる記録位置ずれ処理方法及びカラー記録装置を提供することを目的とする。
【０００９】
【課題を解決するための手段】
本発明は、黒画素を記録する場合は、記録対象となる黒画素を構成する各要素信号の多値レベルを比較し、前記記録対象となる黒画素について、前記比較結果に応じて黒色以外のいずれか一色のインクと共に黒色のインクを記録する。
【００１０】
【発明の実施の形態】
本発明の第１の態様に係る記録位置ずれ処理方法は、画素毎に入力される多値レベルのカラー信号を２値化するステップと、２値化されたカラー信号を構成する各要素信号から当該画素が黒画素か否かを判断するステップと、黒画素と判定された画素について２値化前の各要素信号の中から多値レベルが最大の要素信号を補正色信号に決定するステップと、記録対象の画素が黒画素の場合は黒色のインクと共に、前記補正色信号に対応したインクを記録するステップと、を具備する構成を採る。
【００１１】
この構成により、黒画素を黒色のインクで記録する際に、記録位置のずれが生じたことによって記録紙の地色が露出する場合であっても、黒色以外のインクを補正色として記録し、これを隠蔽することができるため、記録画像のザラツキ感を解消させ、記録画像の劣化を防止することができる。
【００１２】
また、この構成により、各要素信号のうち最も多値レベルの高い要素信号に対応するインクを黒色のインクと共に記録することができるため、カラーインクと黒インクが位置ずれを起こして補正色が見える場合においても、目立ちにくい色を補正色として決定することができる。
【００１５】
また、本発明の第２の態様は、第１の態様に係る記録位置ずれ処理方法において、カラー信号を２値化する際に生じる誤差を周辺画素へ分配するステップを具備し、補正色信号を検出する場合は誤差分が加算された後の多値レベルを用いる構成をとる。
【００１６】
この構成により、誤差分配後の多値レベルを用いて補正色を決定するので、より現実に近い要素信号を前提にして判断でき、より品質の高い記録画像を得る事ができる。
【００１９】
また、本発明の第３の態様に係るカラー記録装置は、画素毎に入力される多値レベルのカラー信号を２値化する２値化手段と、２値化されたカラー信号を構成する各要素信号から当該画素が黒画素か否かを判断する黒画素判定手段と、黒画素と判定された画素又はその周辺画素の２値化前の各要素信号を用いて補正色信号を決定する補正色決定手段と、記録対象の画素が黒画素の場合は黒色のインクと共に、前記補正色信号に対応したインクを記録する記録手段と、を具備する構成をとる。
【００２０】
この構成により、黒画素を黒色のインクで記録する際に、記録位置のずれが生じたことによって記録紙の地色が露出する場合であっても、黒色以外のインクを補正色として記録し、これを隠蔽することができるため、記録画像のザラツキ感を解消させ、記録画像の劣化を防止することができる。
【００２１】
また、この構成により、各要素信号のうち最も多値レベルの高い要素信号に対応するインクを黒色のインクと共に記録することができるため、カラーインクと黒インクが位置ずれを起こして補正色が見える場合においても、目立ちにくい色を補正色として決定することができる。
【００２２】
以下、本発明の実施の形態について図面を参照して具体的に説明する。
【００２３】
（実施の形態１）
図１は、本発明の実施の形態１に係るカラー記録装置の概略構成を示すブロック図である。カラー記録装置の入力端子１０１〜１０３に対してシアン、マゼンタ、イエローの多値信号（例えば２５６階調の表現可能な８ビットの信号）が印加される。これら入力端子１０１〜１０３に印加された各色の多値信号は、カラー記録装置の制御部１０４に入力される。制御部１０４は、入力端子１０１〜１０３に印加された各色の多値信号を２値化し、さらに補正色を記録するかどうかの判定を実行し、補正色を記録する場合はその補正色を決定する。制御部１０４の出力信号はプリンタ部１０５に与えられて記録紙に記録される。
【００２４】
図２に制御部１０４の回路構成を示す。制御部１０４は、シアン、マゼンタ、イエローのそれぞれに対応した２値化回路２０１〜２０３を有する。２値化回路２０１〜２０３は、シアン、マゼンタ、イエローの各多値信号を２値信号（バイナリー）に変換する。これら２値化回路２０１〜２０３の出力が同時に論理「１」となる場合に記録対象画素の色が黒になる。２値化回路２０１〜２０３の出力する２値信号はＡＮＤゲート２０４へ入力される。ＡＮＤゲート２０４は記録対象画素が黒か否かを判定する。ＡＮＤゲート２０４の出力は、２値化回路２０１〜２０３の出力が同時に論理「１」となる場合にだけ論理「１」となる。
【００２５】
一方、シアン、マゼンタ、イエローの多値信号は最大値検出回路２０５にも入力されている。最大値検出回路２０５は、シアン、マゼンタ、イエローの多値信号の中から最大値を持った信号を検出し、その色の出力だけを論理「１」とし、他の色の出力を論理「０」にする。最大値検出回路２０５の各色に対応した論理出力が各色毎に対応するＡＮＤゲート２０６〜２０８の一方の入力端子に与えられる。このＡＮＤゲート２０６〜２０８のもう一方の入力端子に上記ＡＮＤゲート２０４の論理出力が与えられるようになっている。したがって、記録対象画素が黒の場合は、シアン、マゼンタ、イエローの多値信号の中から最大値を持った色に対応したＡＮＤゲート２０６〜２０８の出力だけが論理「１」となり、その他の出力は論理「０」となる。また、記録対象画素が黒以外の場合は、ＡＮＤゲート２０４の出力が論理「０」であるので、各色のＡＮＤゲート２０６〜２０８の出力はすべて論理「０」となる。これらＡＮＤゲート２０６〜２０８の出力はＯＲゲート２０９〜２１１を介してプリンタ部１０５へ出力される。論理出力「１」のＡＮＤゲート（２０６〜２０８）に対応した色が補正色としてプリンタ部１０５へ出力される。
【００２６】
なお、黒画素判定をしているＡＮＤゲート２０４の出力はインバータ２１２で論理反転されて各色に対応したＡＮＤゲート２１３〜２１５へ与えられている。各ＡＮＤゲート２１３〜２１５には対応する色の２値化信号が与えられ、さらに各ＡＮＤゲート２１３〜２１５の論理出力は上記各色のＯＲゲート２０９〜２１１に入れられている。したがって、ＡＮＤゲート２０４の論理出力が「０」の場合は、ＡＮＤゲート２１３〜２１５から出力される２値化信号がＯＲゲート２０９〜２１１を介してプリンタ部１０５へ出力される。
【００２７】
次に、以上のように構成されたカラー記録装置の動作について説明する。図３は、本実施の形態に係るカラー記録装置の動作フロー図である。図示しない外部回路から各画素の画信号が要素信号（シアン信号、マゼンタ信号、イエロー信号）に分離されて対応する入力端子１０１〜１０３に印加される。制御部１０４は、入力端子１０１〜１０３に印加された各要素信号を２値化回路２０１〜２０３によって夫々２値化する(ステップ２０１)。２値化されたシアン信号、マゼンタ信号、イエロー信号はＡＮＤゲート２０４に入力され、シアン信号、マゼンタ信号、イエロー信号がすべて論理「１」、すなわち黒信号であるか否かを判定される（ステップ２０２）。ＡＮＤゲート２０４の出力が論理「１」であれば、制御部１０４は、記録対象画素の画信号を構成するシアン信号、マゼンタ信号、イエロー信号の各々の多値レベルを比較し、最大値をとる色を補正色に決定する（ステップ２０３）。そのために、最大値検出回路２０５でシアン信号、マゼンタ信号、イエロー信号の各々の多値レベルを比較し、最大値をとる色を論理「１」にしてＡＮＤゲート２０６〜２０８に知らせている。その結果、ＡＮＤゲート２０４の論理出力「１」が黒信号としてプリンタ部１０５へ出力され、同時にいずれかのＯＲゲート（２０９〜２１１）の論理出力「１」が補正色信号としてプリンタ部１０５へ出力される（ステップ２０４）。プリンタ部１０５は、黒信号を受けて黒インクで記録するとともに補正色信号によって指示された補正色を合わせて記録する（ステップ２０５）。
【００２８】
また、ステップ２０２において、黒信号の論理が「０」であれば、ステップ２０１で２値化した信号をそのままプリンタ部１０５へ出力し、プリンタ部１０５はこれを記録する（ステップ２０６）。プリンタ部１０５が１ページ全ての処理を終了したか否かを判定（ステップ２０７）、終了していなければステップ２０１からの動作を繰り返す。
【００２９】
なお、最大値検出回路２０５における補正色の決定において、各色毎の多値レベルの最大値が２色以上の場合には、乱数を発生しその乱数値により補正色を決める方法、あるいはシアン、マゼンタ、イエローを順次補正色とする方法など任意である。
【００３０】
このように、本発明の実施の形態１に係るカラー記録装置によれば、記録対象画素を構成するシアン、マゼンタ、イエローの多値レベルを比較し、この多値レベルが最大となる色を補正色とするため、最も目立ちにくい色を補正色として決定することができる。また、黒信号と共に記録する補正色を簡易な方法で決定することができる。
【００３１】
（実施の形態２）
次に、本発明の実施の形態２に係るカラー記録装置について説明する。本実施の形態は、記録対象画素を囲む周辺画素の要素信号の中で最も値の大きい色を補正色として使用する例である。
【００３２】
図４は本実施の形態のカラー記録装置の概略構成を示すブロック図である。同図に示すように、上記実施の形態１と異なる方式で補正色を決定する制御部４００、記録対象画素及び周辺画素の多値信号及び２値化信号を格納するためのメモリ部４０１を備えている。図５は、記録対象画素に対する周辺画素を示す図である。実施の形態２では、図５に示すように、記録対象画素（ｅ画素）の周辺画素の範囲を、上下（ｂ、ｈ画素）、左右（ｄ、ｆ画素）、及び斜め方向（ａ、ｉ、ｃ、ｇ画素）の８画素とする。メモリ部４０１には、図５に示すように記録対象画素ｅ及び周辺画素（ａ，ｂ，ｃ，ｄ，ｆ，ｇ，ｈ，ｉ）の各画信号を構成する各要素信号の多値信号及び２値化信号が制御部４００によって記憶される事になる。
【００３３】
次に、本実施の形態２のカラー記録装置の動作について説明する。図６は、本実施の形態のカラー記録装置の動作を示すフローチャートである。図示しない外部回路から多値の３原色信号、すなわち、シアン信号、マゼンタ信号、イエロー信号が入力端子１０１〜１０３から制御部４００へ入力される。制御部４００は、多値信号であるシアン信号、マゼンタ信号、イエロー信号をそのままメモリ部４０１へ格納する（ステップ６０１）。
【００３４】
制御部４００は、メモリ部４０１から多値信号であるシアン信号、マゼンタ信号、イエロー信号を読み出して夫々２値化(ステップ６０２)し、メモリ部１０５へ２値化信号として格納する（ステップ６０３）。
【００３５】
次に、制御部４００は、ある記録対象画素に関して補正色の決定が可能であるか否かを判定する（ステップ６０４）。記録画像の最初の画素に関する画信号が入力された時点では、その周辺画素は未定のため補正色を決定できない。そこでステップ６０１へ戻り、次の画素に関する画信号をメモリ部４０１へ格納する。補正色の決定が可能となるのは、記録画像における第２ライン目の第２番目の画素がメモリ部４０１へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので比較対象とはしない。
【００３６】
ステップ６０４で補正色を決定可能であると判断した場合は、ステップ６０５へ遷移する。制御部４００は、第１ライン目の第１画素から順次２値化した記録対象画素をメモリ部４０１より読み出す。そして、読み出した記録対象画素の黒信号をチェックする（ステップ６０６）。シアン、マゼンタ、イエローの２値化信号がすべて論理「１」であれば、メモリ部４０１よりさらに記録対象画素の周辺画素の多値信号を読み出し（ステップ６０７）、周辺画素を構成するシアン信号、マゼンタ信号、イエロー信号の各々の多値レベルを比較しその最大値をとる色を補正色に決定（ステップ６０８）する。周辺画素が８画素あり、１画素が３つの要素信号（多値信号）で構成されているので、２４個の多値信号の中から最も値の大きい信号が補正色として検出される。
【００３７】
ステップ６０８で決定した補正色及び黒信号をプリンタ部１０５へ出力する（ステップ６０９）。プリンタ部１０５は、その補正色及び黒信号を記録する（ステップ６１０）。
【００３８】
一方、ステップ６０６において、黒信号の論理が「０」であれば、ステップ６０５で読み出した信号をそのままプリンタ部１０５へ出力し、プリンタ部１０５はこれを記録する（ステップ６１１）。プリンタ部１０５が１ページ全ての処理を終了したか否かを判定（ステップ６１２）、終了していなければステップ６０１からの動作を繰り返す。
【００３９】
なお、上記の例では記録対象画素の周辺画素を、８画素として説明したが、本発明は、これに限定されない。また、補正色の決定時、各色毎の多値レベルの合計値の最大値が２色以上の場合には乱数を発生しその乱数値により補正色を決める方法、あるいはシアン、マゼンタ、イエローを順次補正色とする方法など任意である。
【００４０】
このように、本発明の実施の形態２に係るカラー記録装置によれば、記録対象画素の周辺画素におけるシアン、マゼンタ、イエローの多値レベルを比較し、この多値レベルが最大となる色を補正色とするため、最も目立ちにくい色を補正色として決定することができる。また、黒信号と共に記録する補正色を簡易な方法で決定することができる。
【００４１】
（実施の形態３）
次に、本発明の実施の形態３に係るカラー記録装置について説明する。本実施の形態のカラー記録装置は、多値レベルの画信号を２値化する際に生じた誤差を周辺画素に誤差分配する画像処理機能を備えており、誤差分配後の周辺画素を用いて補正色を決める。
【００４２】
なお、本実施の形態は、上記実施の形態２のカラー記録装置と同一の概略構成を有しており、カラー記録装置の構成要素は実施の形態２と同一の符号を用いて説明する。
【００４３】
図７は、本実施の形態に係るカラー記録装置の動作を示すフローチャートである。図示しない外部回路から多値レベルのシアン信号、マゼンタ信号、イエロー信号が入力端子１０１〜１０３から制御部４００へ入力され、そのままメモリ部４０１へ格納される（ステップ７０１）。
【００４４】
制御部４００は、入力された画素毎に多値レベルのシアン信号、マゼンタ信号、イエロー信号を夫々誤差拡散法により２値化し(ステップ７０２)、２値化信号をメモリ部４０１へ格納する（ステップ７０３）。そして、入力画素信号を２値化したときに生じた誤差分を周辺各画素へ分配する。誤差分配は、分配先の画素のシアン、マゼンタ、イエロー信号の各多値レベルを読み出し、その値と誤差分の加算値を新たな多値レベル信号としてメモリ部４０１の読み出し先のアドレスへ格納することで行われる(ステップ７０４)。
【００４５】
次に、制御部４００は補正色を決定できるか否か判定する（ステップ７０５）。本実施の形態では、図５に示す画素ｅが記録対象画素だとすれば、画素ｉの誤差拡散が終了してから補正色を決定する。誤差拡散方法にもよるが、全ての周辺画素の誤差拡散が終了して多値レベルが確定したところで補正色を決定する。
【００４６】
上記ステップ７０５で補正色を決定可能と判断した場合は、ステップ７０６へ遷移して記録対象画素が黒色か否か判断する。具体的には、制御部４００が第１ライン目の第１画素から順次２値化した記録対象画素のシアン、マゼンタ、イエローの各２値化信号をメモリ部４０１より読み出し、すべて論理「１」であれば黒信号と判断する。
【００４７】
記録対象画素が黒色であると判定した場合は、さらにメモリ部４０１から記録対象画素を囲む周辺画素の誤差分配後の多値信号を読み出す（ステップ７０８）。これら読み出された各周辺画素を構成するシアン信号、マゼンタ信号、イエロー信号の中から最も大きな多値レベルを有する要素信号を検出して、その要素信号の色を補正色に決定する（ステップ７０９）。さらに、その補正色及び黒信号をプリンタ部１０５へ出力する（ステップ７１０）。プリンタ部１０５は、その信号を記録する（ステップ７１１）。
【００４８】
また、ステップ７０７において、黒信号の論理が「０」であれば、ステップ７０６で読み出した信号をそのままプリンタ部１０５へ出力し、プリンタ部１０５はこれを記録する（ステップ７１２）。
【００４９】
プリンタ部１０５が１ページ全ての処理を終了したか否かを判定（ステップ７１３）、終了していなければステップ７０１からの動作を繰り返す。
【００５０】
なお、補正色の決定時、最大値が２色以上の場合には乱数を発生しその乱数値により補正色を決める方法、あるいはシアン、マゼンタ、イエローを順次補正色とする方法など任意であることは実施の形態２と同様である。
【００５１】
このように、本発明の実施の形態３に係るカラー記録装置によれば、記録対象画素の周辺画素におけるシアン、マゼンタ、イエローの多値レベルを比較し、この多値レベルが最大となる色を補正色とするため、最も目立ちにくい色を補正色として決定することができる。また、黒信号と共に記録する補正色を簡易な方法で決定することができる。しかも、補正色を決める多値信号は誤差拡散後のものを用いているので、現実に記録に使う最終的な画信号から補正色を決める事ができる。
【００５２】
（実施の形態４）
次に、本発明の実施の形態４に係るカラー記録装置について説明する。本実施の形態のカラー記録装置は、記録対象画素を囲む周辺画素の要素信号を各色毎に多値レベルで加算して最大値を示す色を補正色として使用する例である。
【００５３】
なお、本実施の形態は、上記実施の形態２のカラー記録装置と同一の概略構成を有しており、カラー記録装置の構成要素は実施の形態２と同一の符号を用いて説明する。
【００５４】
図８は、本実施の形態に係るカラー記録装置の動作を示すフローチャートである。図示しない外部回路から多値レベルのシアン信号、マゼンタ信号、イエロー信号が入力端子１０１〜１０３から制御部４００へ入力され、そのままメモリ部４０１へ格納される（ステップ８０１）。
【００５５】
次に、制御部４００は、多値のシアン信号、マゼンタ信号、イエロー信号を夫々２値化し(ステップ８０２)、メモリ部４０１へ２値化信号を格納する（ステップ８０３）。
【００５６】
次に、制御部４００は補正色の決定が可能であるか否かを判定する（ステップ８０４）。上記実施の形態２のステップ６０４と同様に記録対象画素を囲む周辺画素が揃ったところで、ステップ８０５へ進んで記録対象画素のシアン、マゼンタ、イエローの２値化要素信号をメモリ部４０１から読み出す。そして、読み出した記録対象画素が黒色か否かチェックする（ステップ８０６）。
【００５７】
上記ステップ８０６で記録対象画素が黒色であることが確認された場合は、メモリ部４０１より記録対象画素を囲む周辺画素の多値信号を読み出す（ステップ８０７）。各周辺画素の画信号を構成するシアン信号、マゼンタ信号、イエロー信号（多値レベル）を色毎に加算する（ステップ８０８）。各色の合計値を比較し、その最大値をとる色を補正色に決定する（ステップ８０９）。さらに、ステップ８１０でその補正色及び黒信号をプリンタ部１０５へ出力し（ステップ８１０）、プリンタ部１０５はその信号を記録する（ステップ８１１）。
【００５８】
また、ステップ８０６において、黒信号の論理が「０」であれば、ステップ８０５で読み出した信号をそのままプリンタ部１０５へ出力し、プリンタ部１０５はこれを記録する（ステップ８１２）。
【００５９】
プリンタ部１０５が１ページ全ての処理を終了したか否かを判定（ステップ８１３）、終了していなければステップ８０１からの動作を繰り返す。
【００６０】
なお、補正色の決定時、各色毎の多値レベルの合計値の最大値が２色以上の場合には乱数を発生しその乱数値により補正色を決める方法、あるいはシアン、マゼンタ、イエローを順次補正色とする方法など任意である。
【００６１】
このように、本発明の実施の形態４に係るカラー記録装置によれば、記録対象画素の周辺画素におけるシアン、マゼンタ、イエローの多値レベルを比較し、この多値レベルが最大となる色を補正色とするため、目立ちにくい色を補正色として決定することができる。また、黒信号と共に記録する補正色を簡易な方法で決定することができる。
【００６２】
【発明の効果】
以上の説明から明らかなように、本発明によれば、黒画素を黒色のインクで記録する際に、記録位置のずれが生じたことによって記録紙の地色が露出する場合であっても、黒色以外の最も目立ちにくい色のインクを補正色として記録し、これを隠蔽することができるため、記録画像のザラツキ感を解消させ、記録画像の劣化を防止することができる。
【図面の簡単な説明】
【図１】本発明の実施の形態１に係るカラー記録装置の概略構成を示すブロック図
【図２】実施の形態１に係るカラー記録装置の制御部の一部の回路図
【図３】本発明の実施の形態１に係るカラー記録装置の動作フロー図
【図４】本発明の実施の形態２に係るカラー記録装置の概略構成を示すブロック図
【図５】注目画素に対する周辺画素を示す図
【図６】本発明の実施の形態２に係るカラー記録装置の動作フロー図
【図７】本発明の実施の形態３に係るカラー記録装置の動作フロー図
【図８】本発明の実施の形態４に係るカラー記録装置の動作フロー図
【符号の説明】
１０１〜１０３    入力端子
１０４、４００  制御部
１０５  プリンタ部
４０１  メモリ部
【図１】
0004303367.tif 000002
【図２】
0004303367.tif 000003
【図３】
0004303367.tif 000004
【図４】
0004303367.tif 000005
【図５】
0004303367.tif 000006
【図６】
0004303367.tif 000007
【図７】
0004303367.tif 000008
【図８】
0004303367.tif 000009